(57)【要約】【課題】  本発明は、ポータブルトイレの排泄物用容器に確実に装着されると共に排泄物の臭いを消臭して臭いが室内等に漂わないポータブルトイレ排泄物収容袋セット及びその使用方法を提供する。【解決手段】  ポータブルトイレ排泄物収容袋セット１０は排泄物収容袋１２と吸水消臭パウダー１４とから構成されている。排泄物収容袋１２の袋本体１６には第１側面部１７と第２側面部１８が対向して設けられ、前記袋本体１６の前部には幅広な第１マチ部２０が形成され、後部にも幅広な第２マチ部２２が形成されている。袋本体１６の前上部にはアーチ状の第１係止把持部２６が形成され、後上部にはアーチ状の第２係止把持部２８がそれぞれ連続形成されている。前記吸水消臭パウダー１４は吸水ポリマー３０とリグナイトコーク３２を混合して形成されている。【選択図】  図１
2006122357.tif 000002
【特許請求の範囲】
【請求項１】
ポータブルトイレの排泄物用容器に装着される排泄物収容袋と、この排泄物収容袋に形成されると共に排泄物が収容される収容部を設けた袋本体と、この袋本体の一端面に形成された幅広の第１マチ部と、前記袋本体の他端面に形成された幅広の第２マチ部と、前記袋本体の一端上部に形成された第１係止把持部と、前記袋本体の他端上部に形成された第２係止把持部と、前記袋本体の収容部にまかれる吸水ポリマーとリグナイトコークを混合してなる吸水消臭パウダーと、を有してなることを特徴とするポータブルトイレ排泄物収容袋セット。
【請求項２】
ポータブルトイレの排泄物用容器に装着されると共に塩化水素ガス除去剤が配合された合成樹脂で形成された排泄物収容袋と、この排泄物収容袋に形成されると共に排泄物が収容される収容部を設けた袋本体と、この袋本体の一側面に形成された第１側面部と、前記袋本体の他側面に形成されると共に前記第１側面部と対向する第２側面部と、前記袋本体の一端面に形成された幅広の第１マチ部と、前記袋本体の他端面に形成されると共に前記第１マチ部と対向する幅広の第２マチ部と、前記袋本体の一端上部に形成された第１係止把持部と、前記袋本体の他端上部に形成された第２係止把持部と、前記袋本体の収容部にまかれると共に吸水ポリマーと薄い色のリグナイトコークを混合してなる吸水消臭パウダーと、を有してなることを特徴とするポータブルトイレ排泄物収容袋セット。
【請求項３】
排泄物収容袋の袋本体の第１マチ部をポータブルトイレの排泄物用容器の一端面に対応させ、袋本体の第２マチ部を前記排泄物用容器の他端面に対応させて袋本体を排泄物用容器の内部に入れ、前記排泄物収容袋の第１係止把持部を排泄物用容器の一端部の外側に出し、排泄物収容袋の第２係止把持部を排泄物用容器の他端部の外側に出すことにより前記排泄物収容袋を前記排泄物用容器に装着し、装着した排泄物収容袋の袋本体に吸水消臭パウダーと水を入れて吸水消臭パウダーがゼリー状になった後に排泄し、排泄した排泄物の上に吸水消臭パウダーと水を入れて吸水消臭パウダーをゼリー状にして排泄物をカバーし、排泄物が収容された前記排泄物収容袋を廃棄することを特徴とするポータブルトイレ排泄物収容セットの使用方法。
【発明の詳細な説明】
【技術分野】
【０００１】
本発明は、主に介護等で用いられるポータブルトイレに使用されるポータブルトイレ排泄物収容袋セット及びその使用方法に関する。
【背景技術】
【０００２】
介護を必要とする人の中には歩行が困難等の理由でポータブルトイレを使用して室内で排泄する場合がある。
このポータブルトイレは便座部の下に排泄物収容袋が装着された排泄物用容器としてのバケツが配設されるようになっている。従って、ポータブルトイレに座った状態で排泄すると排泄物は前記排泄物収容袋に一旦収容され、排泄後に前記排泄物収容袋をバケツから取り出して、排泄物だけを廃棄したり、あるいは排泄物が収容された状態の排泄物収容袋を廃棄するようになっている。
ところで、従来の排泄物収容袋はポリエチレン製の平袋の内部に吸水ポリマー含有の吸水シートを設けて排泄された排尿を吸着凝固させたり、あるいは、ポリエチレン製の立体袋の内部に吸水ポリマーのみを収容して排泄された排尿を吸着凝固させている。
しかし、前記平袋タイプの排泄物収容袋はマチ部分が無いためポータブルトイレによって大きなバケツが使用されていると排泄物収容袋を大きく広げることができずバケツに確実に装着できない場合がある。
また、前記立体タイプの排泄物収容袋にはマチ部が形成されているがマチ部の幅が小さいと前記バケツの前部に設けられた排尿消音突起部に対応できず、バケツに確実に装着できない場合がある。
しかも、従来の排泄物収容袋には吸水ポリマーが収容されているだけであるため排泄された排尿は吸着、凝固されるが、排泄物の臭いを消臭することはできず臭いが室内に漂ってしまうという不具合がある。
【特許文献１】実用新案登録第３１０４３３５号
【発明の開示】
【発明が解決しようとする課題】
【０００３】
本発明は、上記事実に鑑みなされたものでありポータブルトイレの排泄物用容器に確実に装着されると共に排泄物の臭いを消臭して臭いが室内等に漂わないポータブルトイレ排泄物収容袋セット及びその使用方法を提供するものである。
【課題を解決するための手段】
【０００４】
請求項１の発明は、ポータブルトイレの排泄物用容器に装着される排泄物収容袋と、この排泄物収容袋に形成されると共に排泄物が収容される収容部を設けた袋本体と、この袋本体の一端面に形成された幅広の第１マチ部と、前記袋本体の他端面に形成された幅広の第２マチ部と、前記袋本体の一端上部に形成された第１係止把持部と、前記袋本体の他端上部に形成された第２係止把持部と、前記袋本体の収容部にまかれる吸水ポリマーとリグナイトコークを混合してなる吸水消臭パウダーと、を有してなることを特徴としている。
請求項２の発明は、ポータブルトイレの排泄物用容器に装着されると共に塩化水素ガス除去剤が配合された合成樹脂で形成された排泄物収容袋と、この排泄物収容袋に形成されると共に排泄物が収容される収容部を設けた袋本体と、この袋本体の一側面に形成された第１側面部と、前記袋本体の他側面に形成されると共に前記第１側面部と対向する第２側面部と、前記袋本体の一端面に形成された幅広の第１マチ部と、前記袋本体の他端面に形成されると共に前記第１マチ部と対向する幅広の第２マチ部と、前記袋本体の一端上部に形成された第１係止把持部と、前記袋本体の他端上部に形成された第２係止把持部と、前記袋本体の収容部にまかれると共に吸水ポリマーと薄い色のリグナイトコークを混合してなる吸水消臭パウダーと、を有してなることを特徴としている。
請求項３の発明は、排泄物収容袋の袋本体の第１マチ部をポータブルトイレの排泄物用容器の一端面に対応させ、袋本体の第２マチ部を前記排泄物用容器の他端面に対応させて袋本体を排泄物用容器の内部に入れ、前記排泄物収容袋の第１係止把持部を排泄物用容器の一端部の外側に出し、排泄物収容袋の第２係止把持部を排泄物用容器の他端部の外側に出すことにより前記排泄物収容袋を前記排泄物用容器に装着し、装着した排泄物収容袋の袋本体に吸水消臭パウダーと水を入れて吸水消臭パウダーがゼリー状になった後に排泄し、排泄した排泄物の上に吸水消臭パウダーと水を入れて吸水消臭パウダーをゼリー状にして排泄物をカバーし、排泄物が収容された前記排泄物収容袋を廃棄することを特徴としている。
【発明の効果】
【０００５】
請求項１及び請求項２の発明は、排泄物収容袋の袋本体には幅広の第１マチ部と幅広の第２マチ部が形成されているのでポータブルトイレの排泄物用容器が大きくても袋本体を大きく広げることができるため確実に前記排泄物用容器に装着できるという優れた効果を有する。
また、請求項１及び請求項２の発明は、吸水消臭パウダーが排尿を吸着凝固すると共に排泄物の臭いを消臭するので臭いが室内等に漂うことを確実に防止することができるという優れた効果を有する。
請求項３の発明は上記優れた効果を有するポータブルトイレ排泄物収容袋セットを使用することができるという優れた効果を有する。
【発明を実施するための最良の形態】
【０００６】
発明を実施するために最良の形態の例として以下のような実施例を示す。
【実施例１】
【０００７】
図１〜図５には本発明に係わるポータブルトイレ排泄物収容袋セット及びその使用方法の一実施例が示されている。
図１に示されるように、ポータブルトイレ排泄物収容袋セット１０は排泄物収容袋１２と吸水消臭パウダー１４とから構成されている。
前記排泄物収容袋１２はポリエチレンフィルムに焼却炉用塩化水素ガス除去剤を配合して袋状に形成されている。この実施例では焼却炉用塩化水素ガス除去剤として大日精化工業株式会社のエコロマスター（商品名）が使用されている。
図２に示されるように、前記排泄物収容袋１２の袋本体１６には第１側面部１７と第２側面部１８が対向して設けられ、第１側面部１７と第２側面部１８は下端部１７Ａと下端部１８Ａで接着されている。また、前記袋本体１６の前部には広げると幅広（実施例では３０ｃｍ）になる第１マチ部２０が形成され、後部にも広げると幅広（実施例では３０ｃｍ）になる第２マチ部２２が形成されている。これにより、前記袋本体１６は収容部２４を有する立体的な袋状に形成されている。
また、前記第１マチ部２０と第２マチ部２２にはそれぞれ上下方向に折線２０Ａ，折線２２Ａが形成され、前記排泄物収容袋１２を畳む場合に円滑に折り畳めることができるようになっている。
前記袋本体１６の前上部には第１側面部１７、第２側面部１８及び第１マチ部２０を利用してアーチ状の第１係止把持部２６が形成され、後上部には第１側面部１７、第２側面部１８及び第２マチ部２２を利用してアーチ状の第２係止把持部２８がそれぞれ連続形成されている。
従って、前記排泄物収容袋１２には幅広の第１マチ部２０と幅広の第２マチ部２２が形成されているのでポータブルトイレ（図示せず）の排泄物用容器としてのバケツ１が大きくても排泄物収容袋１２を大きく広げることができるので排泄物収容袋１２を確実にバケツ１に装着することができる。
また、前記バケツ１の前部１Ａにバケツ１の後部１Ｂに向って突起して排尿時に排尿音を消す排尿消音突起部１Ｃが設けられていても第１マチ部２０は幅広であるため消音突起部１Ｃに対応することができて確実に排泄物収容袋１２を装着することができる。
【０００８】
図１に示されるように前記吸水消臭パウダー１４はパウダー状の吸水ポリマー３０とパウダー状のリグナイトコーク３２を混合して形成され、混合された吸水消臭パウダー１４は包装袋３４に収容されている。
前記吸水ポリマー３０は、公知の吸水ポリマーでアクリルポリマー系の高吸水性樹脂で水分を吸着して凝固するようになっている。鉱物資源であるリグナイトコーク３２は多孔質で孔に便の臭いの原因であるアンモニアや硫化水素が入り込んで臭いを吸臭、消臭するようになっている。また、リグナイトコーク３２はアンモニア、硫化水素に対する吸臭消臭効果に優れており、また、ヨーロッパにおいてはダイオキシン吸着剤、重金属ガス吸着剤としてゴミ焼却炉に投入されている。
なお、前記吸水ポリマー３０とリグナイトコーク３２の混合割合は重量％で示すと吸水ポリマー３０の混合割合がリグナイトコーク３２より多くなるように設定されている。この実施例では吸水ポリマー３０が６０重量％でリグナイトコーク３２が４０重量％に設定されている。
また、この実施例では薄い色である象牙色のリグナイトコーク３２が使用されている。
【０００９】
次に、実施例のポータブルトイレ排泄物収容袋セット１０を用いてポータブルトイレ排泄物収容袋セット１０の使用方法について説明する。
まず、ポータブルトイレ排泄物収容袋セット１０の排泄物収容袋１２をポータブルトイレのバケツ１に装着する場合は図２に示すように排泄物収容袋１２をバケツ１の上方に対応させて袋本体１６をバケツ１の内部に入れる。
そして、図３に示されるように、まず袋本体１６の後部をバケツ１の底部に押し付け、続いて図４に示されるように袋本体１６の前部をバケツ１の底部に押し付ける。また、排泄物収容袋１２の第１係止把持部２６をバケツ１の前部１Ａの外側に出し、第２係止把持部２８をバケツ１の後部１Ｂの外側に出し、排泄物収容袋１２をバケツ１に装着する（図５参照）。
従って、前記第１係止把持部２６と第２係止把持部２８が共にバケツ１の前後外側に大きく出るので排泄した際に排泄物が袋本体１２の収容部２４に落ちても排泄物の重みで排泄物収容袋１２がバケツ１の内部に滑り落ちないようになっている。
また、前記排泄物収容袋１２には幅広の第１マチ部２０と幅広の第２マチ部２２が形成されているのでポータブルトイレのバケツ１が大きくても排泄物収容袋１２を大きく広げることができる。
さらに、前記第１マチ部２０は幅広であるためバケツ１の排尿消音突起部１Ｃに十分対応することができる。
前記排泄物収容袋１２をポータブルトイレのバケツ１に装着したら、吸水消臭パウダー１４を前記袋本体１６の収容部２４に約１８ｇ入れて、水を約２８０ｃｃ入れる。すると、吸水消臭パウダー１４は吸水ポリマー３０が前記水を吸着、凝固することにより１〜２分で硬いゼリー状になる。
従って、この状態で排便すると尿は硬くなった吸水消臭パウダー１４の吸水ポリマー３０によって吸着、凝固され、大便は硬いゼリー状態になった吸水消臭パウダー１４の上に乗る。なお、前記リグナイトコーク３２は象牙色なので黒色等の濃い色リグナイトコークに比べて、排泄した便の色等をチェックし易く、健康状態を知るのに便利である。
そして、排便が終わったら、便や使用したトイレットペーパーの上に吸水消臭パウダー１４を約１８ｇまき、その上に少量の水をまく。
これにより、便や使用したトイレットペーパーの上にまかれた吸水消臭パウダー１４は１〜２分で硬いゼリー状となるため便に蓋をしたようにカバーする状態になる。また、吸水消臭パウダー１４のリグナイトコーク３２が便の臭いを吸臭、消臭する。
従って、排泄物の臭いは吸臭、消臭されるため、排泄物の臭いが室内に漂うのを確実に防止できる。
なお、尿をするだけの場合は上述したように前記排泄物収容袋１２をポータブルトイレのバケツ１に装着して吸水消臭パウダー１４を前記袋本体１６の収容部２４に約１８ｇ入れて、水を約２８０ｃｃ入れて尿をすれば排尿は吸水消臭パウダー１４は吸水ポリマー３０によって吸着凝固され、尿の臭いはリグナイトコーク３２によって吸臭、消臭される。
排便が済んだ後は前記第１係止把持部２６と第２係止把持部２８を持って排泄物収容袋１２をバケツ１から取り出して所定の廃棄場所に廃棄すればよい。
なお、排泄物が収容された排泄物収容袋１２を焼却炉で焼却しても、排泄物収容袋１２には焼却炉用塩化水素ガス除去剤が配合されているので、焼却時に塩化水素が排出されないため環境に悪影響を及ぼすことがない。
また、リグナイトコーク３２もダイオキシン吸着剤としての効果を有する（ヨーロッパにおいてダイオキシン吸着剤としてゴミ焼却炉に投入される物質である）ので環境に悪影響を及ぼすことがない。
従って、排泄物及び吸水消臭パウダー１４が収容された排泄物収容袋１２を焼却しても環境に悪影響を及ぼすことなくポータブルトイレ排泄物収容袋セット１０を焼却処分することができる。
【００１０】
なお、実施例では象牙色のリグナイトコーク３２を使用したが、薄い色であれば象牙色に限定されるものでないことは勿論である。
また、実施例ではポータブルトイレ排泄物収容袋セット１０を介護で使用されるポータブルトイレに使用する場合を示したが、介護で使用されるポータブルトイレの使用に限定されるものでないことは勿論である。
【図面の簡単な説明】
【００１１】
【図１】実施例のポータブルトイレ排泄物収容袋セットの斜視図である。
【図２】実施例のポータブルトイレ排泄物収容袋セットの排泄物収容袋をポータブルトイレのバケツに装着する状態の斜視図である。
【図３】実施例のポータブルトイレ排泄物収容袋セットの使用方法を示す概略縦断面図である。
【図４】実施例のポータブルトイレ排泄物収容袋セットの使用方法を示す概略縦断面図である。
【図５】実施例のポータブルトイレ排泄物収容袋セットの排泄物収容袋をポータブルトイレのバケツに装着した状態の斜視図である。
【符号の説明】
【００１２】
１０    ポータブルトイレ排泄物収容袋セット
１２    排泄物収容袋
１４    吸水消臭パウダー
１６    袋本体
１７    第１側面部
１８    第２側面部
２０    第１マチ部
２２    第２マチ部
２４    収容部
２６    第１係止把持部
２８    第２係止把持部
３０    吸水ポリマー
３２    リグナイトコーク
【図１】
2006122357.tif 000003
【図２】
2006122357.tif 000004
【図３】
2006122357.tif 000005
【図４】
2006122357.tif 000006
【図５】
2006122357.tif 000007